【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
複数の発光手段が一の方向に配置された装置本体を備え、
当該装置本体が前記一の方向と交差する方向に振られたとき、前記装置本体の移動に応じて前記発光手段を発光させ、その残像効果を利用して画像表示を行うようにした発光表示装置であって、
前記装置本体の回動運動の接線方向の加速度を検出する接線方向加速度検出手段と、
当該接線方向加速度検出手段で検出した加速度から前記回動運動の接線方向の速度を演算する速度演算手段と、
前記回動運動の法線方向の加速度を検出する法線方向加速度検出手段と、
前記装置本体の回動方向の角速度を検出する角速度検出手段と、
前記速度演算手段、前記法線方向加速度検出手段及び前記角速度検出手段の検出結果に基づいて、前記発光手段の発光面の、重力方向に対する傾斜度合を演算する傾斜度合演算手段と、
当該傾斜度合演算手段で演算した傾斜度合に応じて発光表示すべき画像の表示形態を設定する表示形態設定手段と、
前記発光表示すべき画像を、前記表示形態設定手段で設定された表示形態で発光表示するように前記発光手段を駆動制御する発光制御手段と、を備えることを特徴とする発光表示装置。
【請求項２】
前記表示形態設定手段は、前記傾斜度合に応じて前記発光表示すべき画像の表示サイズを変更することを特徴とする請求項１記載の発光表示装置。
【請求項３】
前記表示形態設定手段は、前記傾斜度合に応じて前記発光表示すべき画像の配置を変更することを特徴とする請求項２記載の発光表示装置。
【請求項４】
前記表示形態設定手段は、前記傾斜度合に応じて前記発光表示すべき画像の形状を変更することを特徴とする請求項１から請求項３の何れか１項に記載の発光表示装置。
【請求項５】
前記表示形態設定手段は、前記傾斜度合に応じて前記発光表示すべき画像の上方及び下方の少なくとも何れか一方の形状を変更することを特徴とする請求項４記載の発光表示装置。
【請求項６】
前記発光表示すべき画像を、前記表示形態設定手段で設定される表示形態で発光表示するための発光表示用データを複数備え、
前記発光制御手段は、前記複数の発光表示用データのうち、前記表示形態設定手段で設定された表示形態に対応する発光表示用データに基づいて前記発光手段を駆動制御することを特徴とする請求項１から請求項５の何れか１項に記載の発光表示装置。
【請求項７】
前記発光制御手段は、前記傾斜度合演算手段で演算される傾斜度合が、予め設定した目視者が発光画像を視認することの可能な視認可能傾斜範囲内に含まれるときにのみ、前記発光表示を行うことを特徴とする請求項１から請求項６の何れか１項に記載の発光表示装置。
【請求項８】
前記速度演算手段、前記法線方向加速度検出手段及び前記角速度検出手段の検出結果に基づいて、前記装置本体の予め設定した表示基準が上下何れを向いているかを判断する上下判断手段を備え、
前記発光制御手段は、前記発光表示すべき画像を、前記上下判断手段での判断結果に応じた向きであり、且つ、前記表示形態設定手段で設定された表示形態で発光表示するように前記発光手段を駆動制御することを特徴とする請求項1から請求項７の何れか１項に記載の発光表示装置。
【請求項９】
複数の発光手段が一の方向に配置された装置本体を備え、
当該装置本体が前記一の方向と交差する方向に振られたとき、前記装置本体の移動に応じて前記発光手段を発光させ、その残像効果を利用して画像表示を行うようにした発光表示装置であって、
前記装置本体の回動運動の接線方向の加速度を検出する接線方向加速度検出手段と、
当該接線方向加速度検出手段で検出した加速度から前記回動運動の接線方向の速度を演算する速度演算手段と、
前記回動運動の法線方向の加速度を検出する法線方向加速度検出手段と、
前記装置本体の回動方向の角速度を検出する角速度検出手段と、
前記速度演算手段、前記法線方向加速度検出手段及び前記角速度検出手段の検出結果に基づいて、前記装置本体の予め設定した表示基準が上下何れを向いているかを判断する上下判断手段と、
発光表示すべき画像を、前記上下判断手段での判断結果に応じた向きで発光表示するように、前記発光手段を駆動制御する発光制御手段と、を備えることを特徴とする発光表示装置。
【請求項１０】
前記接線方向加速度検出手段及び前記法線方向加速度検出手段は、前記装置本体の、前記装置本体の回動運動の支点側の端部とは反対側の端部に配置されることを特徴とする請求項１から請求項９の何れか１項に記載の発光表示装置。
【請求項１１】
バーサライタに適用されることを特徴とする請求項１から請求項１０の何れか１項に記載の発光表示装置。
【手続補正２】
【補正対象書類名】明細書
【補正対象項目名】０００６
【補正方法】変更
【補正の内容】
【０００６】
上記した課題を解決するために、本発明の発光表示装置は、複数の発光手段が一の方向に配置された装置本体を備え、当該装置本体が前記一の方向と交差する方向に振られたと
き、前記装置本体の移動に応じて前記発光手段を発光させ、その残像効果を利用して画像表示を行うようにした発光表示装置であって、前記装置本体の回動運動の接線方向の加速度を検出する接線方向加速度検出手段と、当該接線方向加速度検出手段で検出した加速度から前記回動運動の接線方向の速度を演算する速度演算手段と、前記回動運動の法線方向の加速度を検出する法線方向加速度検出手段と、前記装置本体の回動方向の角速度を検出する角速度検出手段と、前記速度演算手段、前記法線方向加速度検出手段及び前記角速度検出手段の検出結果に基づいて、前記発光手段の発光面の、重力方向に対する傾斜度合を演算する傾斜度合演算手段と、当該傾斜度合演算手段で演算した傾斜度合に応じて発光表示すべき画像の表示形態を設定する表示形態設定手段と、前記発光表示すべき画像を、前記表示形態設定手段で設定された表示形態で発光表示するように前記発光手段を駆動制御する発光制御手段と、を備えることを特徴としている。
【手続補正３】
【補正対象書類名】明細書
【補正対象項目名】０００７
【補正方法】変更
【補正の内容】
【０００７】
上記構成によれば、装置本体の回動運動の接線方向の速度、前記回動運動の法線方向の角度及び回動運動の角速度に基づいて、発光手段の発光面の、重力方向に対する傾斜度合が演算され、発光面が前又は後にどの程度傾斜しているかが演算される。そして、この傾斜度合に応じて発光表示すべき画像の表示形態が設定されこれに応じて発光表示が行われる。発光面の傾斜度合によっては、目視者は発光画像が歪んで見えることから、この歪みを考慮して表示形態を設定することで、目視者には、歪みのない発光画像に見えることになり、発光表示すべき画像を、発光面の傾斜度合に関わらず、的確に目視者に対して視認させることができる。
【手続補正４】
【補正対象書類名】明細書
【補正対象項目名】００１０
【補正方法】変更
【補正の内容】
【００１０】
また、上記した発光表示装置において、前記表示形態設定手段は、前記傾斜度合に応じて前記発光表示すべき画像の形状を変更することを特徴としている。
上記構成によれば、傾斜度合に応じて、発光すべき画像の形状が変更される。ここで、傾斜度合によっては、目視者から見た発光画像が歪んで見えることから、この歪みが生じる部分の形状を歪みが生じることを考慮して予め補正した状態で発光表示を行うことで、結果的に、歪みのない発光画像を目視者に対して認識させることができる。
【手続補正５】
【補正対象書類名】明細書
【補正対象項目名】００１１
【補正方法】変更
【補正の内容】
【００１１】
また、上記した発光表示装置において、前記表示形態設定手段は、前記傾斜度合に応じて前記発光表示すべき画像の上方及び下方の少なくとも何れか一方の形状を変更することを特徴としている。
上記構成によれば、発光面の傾斜度合が変化した場合には、発光画像の上方又は下方に歪みが生じることから、この歪みを考慮して、傾斜度合に応じてこれらの少なくとも何れか一方の形状を変更することで、目視者にとって、歪みのない発光画像を容易に表示することができる。
【手続補正６】
【補正対象書類名】明細書
【補正対象項目名】００１２
【補正方法】変更
【補正の内容】
【００１２】
また、上記した発光表示装置において、前記発光表示すべき画像を、前記表示形態設定手段で設定される表示形態で発光表示するための発光表示用データを複数備え、前記発光制御手段は、前記複数の発光表示用データのうち、前記表示形態設定手段で設定された表示形態に対応する発光表示用データに基づいて前記発光手段を駆動制御することを特徴としている。
【手続補正７】
【補正対象書類名】明細書
【補正対象項目名】００１３
【補正方法】変更
【補正の内容】
【００１３】
上記構成によれば、発光すべき画像を、表示形態設定手段で設定される表示形態で発光表示するための発光表示用データを予め複数備えており、表示形態設定手段で表示形態が設定されたときにはこの設定された表示形態に対応する発光表示用データを選択し、これに基づいて発光表示を行うから、発光表示すべき画像を、指定された表示形態で容易に発光表示することができる。
【手続補正８】
【補正対象書類名】明細書
【補正対象項目名】００１７
【補正方法】変更
【補正の内容】
【００１７】
また、複数の発光手段が一の方向に配置された装置本体を備え、当該装置本体が前記一の方向と交差する方向に振られたとき、前記装置本体の移動に応じて前記発光手段を発光させ、その残像効果を利用して画像表示を行うようにした発光表示装置であって、前記装置本体の回動運動の接線方向の加速度を検出する接線方向加速度検出手段と、当該接線方向加速度検出手段で検出した加速度から前記回動運動の接線方向の速度を演算する速度演算手段と、前記回動運動の法線方向の加速度を検出する法線方向加速度検出手段と、前記装置本体の回動方向の角速度を検出する角速度検出手段と、前記速度演算手段、前記法線方向加速度検出手段及び前記角速度検出手段の検出結果に基づいて、前記装置本体の予め設定した表示基準が上下何れを向いているかを判断する上下判断手段と、発光表示すべき画像を、前記上下判断手段での判断結果に応じた向きで発光表示するように、前記発光手段を駆動制御する発光制御手段と、を備えることを特徴としている。